(57)【要約】【課題】２つの部材が電線の両側方から組み合わされることによって電線の周囲を覆う電線保護ケースにおいて、内部に浸入した水を速やかに排出でき、さらに製造が容易な電線保護ケースを提供すること。【解決手段】電線保護ケースは、少なくとも電線の第一の側方における壁を形成する第一側壁部１１及び第一側壁部１１に突設されて電線の下方における壁を形成する下壁部を有する第一部材と、少なくとも電線の第二の側方における壁を形成する第二側壁部２１を有する第二部材とを備え、第一部材及び第二部材が前記電線の両側方から組み合わされることによって前記電線の周囲を覆う。電線保護ケースは、第一部材の下壁部における最も下方の部分を形成し、前記第一側壁部１１側から前記第二側壁部２１側へ下って傾斜する、又は、その逆側に下って傾斜して前記第一側壁部側で開口する第一の溝部１３３が形成された第一底壁部１３を備える。【選択図】図６
2011234609.tif 000002
【特許請求の範囲】
【請求項１】
少なくとも電線の第一の側方における壁を形成する第一側壁部及び該第一側壁部に突設されて前記電線の下方における壁を形成する下壁部を有する第一部材と、少なくとも前記電線の第二の側方における壁を形成する第二側壁部を有する第二部材とを備え、前記第一部材及び前記第二部材が前記電線の両側方から組み合わされることによって前記電線の周囲を覆う電線保護ケースであって、
前記第一部材の前記下壁部における最も下方の部分を形成し、前記第一側壁部側から前記第二側壁部側へ下って傾斜する、又は、その逆側に下って傾斜して前記第一側壁部側で開口する第一の溝部が形成された第一底壁部を備えることを特徴とする電線保護ケース。
【請求項２】
前記第一の溝部は、前記第一側壁部側から前記第二側壁部側へ下って傾斜するように形成され、
前記第二部材における前記第二側壁部の下部に、前記第一底壁部との間に間隔を空けて前記第一底壁部の下方に至る長さで突設され、前記第二側壁部側から前記第一底壁部の下方側へ下って傾斜する第二の溝部が形成された第二底壁部をさらに備えることを特徴とする請求項１記載の電線保護ケース。
【請求項３】
前記第二部材における前記第二側壁部は、前記下壁部の先端側の縁部に突合わされていることを特徴とする請求項１記載の電線保護ケース。
【請求項４】
前記下壁部の先端側の縁部のうち前記第一底壁部を含む部分が連続する直線状に連なり、
前記第一の溝部は、前記第一側壁部側から前記第二側壁部側の逆側に下って傾斜して前記第一側壁部側で開口するように形成されていることを特徴とする請求項３記載の電線保護ケース。
【請求項５】
前記下壁部は、その突出方向全体において、前記第一の溝部側方で前記下壁部から突出する溝部側壁部を有することを特徴とする請求項１〜請求項４のいずれか１つに記載の電線保護ケース。
【請求項６】
前記第一部材及び前記第二部材の各々は、樹脂製の一体成型部材である請求項１〜請求項５のいずれか１つに記載の電線保護ケース。
【発明の詳細な説明】
【技術分野】
【０００１】
本発明は、電線の両側方から組み合わされることによって電線の周囲を覆う電線保護ケースに関するものである。
【背景技術】
【０００２】
自動車に代表される車両に搭載されるワイヤハーネスは、周囲の部材との接触及び周囲から受ける熱などによって電線が破損しないことが要求される。そこで、車載用のワイヤハーネスは、電線の周囲を覆う電線保護ケースが設けられることがある。
【０００３】
また、電線保護ケースは、室内以外の部分、例えばエンジンルームなどに配置される場合がある。この場合、電線保護ケースは、電線を覆って保護する構造に加え、漏電防止及び電線の錆つき防止のために、降雨及び洗車などに起因してケース内に浸入した水を速やかにケース外へ排出できる水抜き構造を備えることが要求される。
【０００４】
従来、電線保護ケースは、水抜き構造として、特許文献１及び特許文献２に示されるように、電線の下方の壁を形成する下壁の底の部分に水抜き用の穴が設けられている。
【０００５】
一方、ワイヤハーネスの電線は、電線保護ケースが取り付けられる前に、その端部にコネクタなどの部品が予め接続されていることが多い。そのため、電線保護ケースは、電線の上下又は左右の各方向から組み合わされる２つの部材を備え、それら２つの部材が組み合わされることによって電線の周囲を覆う構造を備えることが多い。そのような電線保護ケースは、コネクタなどの部品が接続された電線に対して後付け可能である。電線保護ケースを構成する２つの部材が組み合わされる方向は、電線保護ケースが配置されるスペースの条件などの各種の制約条件によって定められる。
【０００６】
図１５は、２つの部材が電線９の左右の各方向から組み合わされることによって電線９の周囲を覆う構造を備える従来の電線保護ケース１００の一例を示す斜視図である。以下、電線保護ケース１００を構成する２つの部材を、それぞれ第一部材１０１及び第二部材２０１と称する。また、図１６は、水抜き用の穴５０が形成された従来の電線保護ケース１００を構成する第一部材１０１の斜視図である。
【０００７】
図１５に示される電線保護ケース１００は、電線９の両側方から組み合わされることによって電線９の周囲を覆う第一部材１０１及び第二部材２０１を備える。図１５及び図１６に示されるように、第一部材１０１は、電線９の一方の側方における側壁部１１１と、電線９の上方における上壁部１１５と、電線９の下方における下壁部１１６とが形成されている。一方、第二部材２０１は、電線９の他方の側方における側壁を形成する。即ち、第一部材１０１は、電線９が内側に収容される溝部状に形成された部材であり、第二部材２０１は、電線９が収容された第一部材１０１の溝部状の部分を覆う蓋として機能する部材である。
【０００８】
そして、図１５に示されるように、電線保護ケース１００は、第一部材１０１及び第二部材２０１が電線９の両側方から組み合わされることにより、電線９が通る開口部である第一通路口４１及び第二通路口４２を形成する。そして、電線保護ケース１００は、第一通路口４１から第二通路口４２に至る電線９の周囲を覆う。図１５に示される電線保護ケース１００は、電線９を、下方を凸側として湾曲する状態に保持しつつその周囲を覆う。
【０００９】
また、図１６に示されるように、電線保護ケース１００における第一部材１０１は、下壁における最も下方の部分に水抜き用の穴５０が形成されている。これにより、降雨及び洗車などに起因して電線保護ケース１００内に浸入した水は、水抜き用の穴５０から外部へ排出される。
【先行技術文献】
【特許文献】
【００１０】
【特許文献１】特開平１１−３４７６３号公報
【特許文献２】特開２００６−３２０１３３号公報
【発明の概要】
【発明が解決しようとする課題】
【００１１】
ところで、従来の電線保護ケースは、下壁の底部に水抜き用の穴が形成される。そのため、電線保護ケースに収容された電線は、電線保護ケースの下方を視点として、水抜き用の穴を通じて外部から露出する状態となる。そのため、従来の電線保護ケースは、内部に収容された電線が、水抜き用の穴を通じて外部から内部へ進入する異物によって損傷を受けるという問題点を有していた。例えば、電線保護ケースが自動車のエンジンルームに配置された場合、道路から跳ね上げられる砂利又は泥水などの異物が、水抜き用の穴から電線保護ケース内に進入し、電線に損傷を与えるという問題が発生する。
【００１２】
また、図１５に示されるように、電線保護ケースを構成する第一部材１０１は、電線９の周囲を覆う壁のうちの三方の壁を形成する側壁部１１１、上壁部１１５及び下壁部１１６を備える。この場合、第一部材１０１は、基本的には、側壁部１１１の面にほぼ垂直な方向に引き抜かれる金型を用いて成型される。そのため、第一部材１０１に水抜き用の穴５０を設けるためには、第一部材１０１の製造時において、メインの金型の引き抜き方向に対してほぼ直交する方向に引き抜かれる専用の金型、及びその金型を引き抜くためのスライド機構が必要となる。しかしながら、電線保護ケースを構成する部材を金型のスライド機構を用いて製造することは、生産効率及び生産コストの面で好ましくないという問題点があった。この問題点は、２つの部材が電線の両側方から組み合わされることによって電線の周囲を覆う電線保護ケースにおいて顕在化しやすい。
【００１３】
また、２つの部材が電線の両側方から組み合わされることによって電線の周囲を覆う電線保護ケースにおいて、金型のスライド機構の利用を避けるために、水抜き用の穴が側壁部に設けられることも考えられる。しかしながら、水抜き用の穴が側壁部に設けられた場合、水の排出性能が悪化するという問題点があった。
【００１４】
本発明は、２つの部材が電線の両側方から組み合わされることによって電線の周囲を覆う電線保護ケースにおいて、内部に浸入した水を速やかに排出でき、さらに製造が容易な電線保護ケースを提供することを第１の目的とする。さらに、本発明は、外部からの異物の侵入を防ぐことを第２の目的とする。
【課題を解決するための手段】
【００１５】
この発明は、少なくとも電線の第一の側方における壁を形成する第一側壁部及び該第一側壁部に突設されて前記電線の下方における壁を形成する下壁部を有する第一部材と、少なくとも前記電線の第二の側方における壁を形成する第二側壁部を有する第二部材とを備え、前記第一部材及び前記第二部材が前記電線の両側方から組み合わされることによって前記電線の周囲を覆う電線保護ケースであって、前記第一部材の前記下壁部における最も下方の部分を形成し、前記第一側壁部側から前記第二側壁部側へ下って傾斜する、又は、その逆側に下って傾斜して前記第一側壁部側で開口する第一の溝部が形成された第一底壁部を備える。
【００１６】
前記第一の溝部は、前記第一側壁部側から前記第二側壁部側へ下って傾斜するように形成され、前記第二部材における前記第二側壁部の下部に、前記第一底壁部との間に間隔を空けて前記第一底壁部の下方に至る長さで突設され、前記第二側壁部側から前記第一底壁部の下方側へ下って傾斜する第二の溝部が形成された第二底壁部をさらに備えていてもよい。
【００１７】
また、前記第二部材における前記第二側壁部は、前記下壁部の先端側の縁部に突合わされていてもよい。
【００１８】
また、前記下壁部の先端側の縁部のうち前記第一底壁部を含む部分が連続する直線状に連なり、前記第一の溝部は、前記第一側壁部側から前記第二側壁部側の逆側に下って傾斜して前記第一側壁部側で開口するように形成されていてもよい。
【００１９】
また、前記下壁部は、その突出方向全体において、前記第一の溝部側方で前記下壁部から突出する溝部側壁部を有していてもよい。
【００２０】
また、前記第一部材及び前記第二部材の各々は、樹脂製の一体成型部材であってもよい。
【発明の効果】
【００２１】
本発明に係る電線保護ケースにおいて、内部に進入した下壁部の最も下方に位置する第一底壁部に流れ落ち、次に、下って傾斜する第一の溝部を通って流れ落ちていく。従って、内部に浸入した水は、速やかに排出される。また、本発明に係る電線保護ケースにおいて、第一底壁部は、第一側壁部から突設される下壁部の一部として形成され、第一の溝部は、第一底壁部が第一側壁部から突出する方向に沿って形成される。従って、第一部材は、第一底壁部及び第一の溝部を形成することを含め、第一側壁部の面にほぼ垂直な方向に引き抜かれる金型を用いた成型によって製造することができる。その結果、本発明に係る電線保護ケースは、水抜き構造を作るための金型のスライド機構を用いることなく容易に製造することができる。これにより、第１の目的が実現される。
【００２２】
また、本発明に係る他の電線保護ケースにおいて、前記第一底壁部は、前記第一側壁部側から前記第二側壁部側へ下って傾斜するように形成され、前記第二部材における前記第二側壁部の下部に、前記第一底壁部との間に間隔を空けて前記第一底壁部の下方に至る長さで突設され、前記第二側壁部側から前記第一底壁部の下方側へ下って傾斜する第二の溝部が形成された第二底壁部をさらに備える。このため、下って傾斜する第１の溝部を通った水は、第二底壁部に流れ落ち、最後に、下って傾斜する第二の溝部を通って外部に流れ落ちる。従って、内部に進入した水は速やかに排出される。また、第二底壁部は、第一底壁部との間に間隔を空けて第一底壁部の下方に至る長さで形成される。即ち、本発明に係る電線保護ケースに収容において、その下方を視点とした場合、第一底壁部と第二底壁部とは重なっている。従って、本発明に係る電線保護ケースに収容された電線は、当該電線保護ケースの下方を視点とした場合でも外部から露出せず、外部からの異物の侵入を防ぐことができ、第２の目的が実現される。
【００２３】
また、本発明に係る他の電線保護ケースにおいて、前記第二部材における前記第二側壁部は、前記下壁部の先端側の縁部に突合わされている。このため、第二部材の構成を簡易化できる。
【００２４】
また、本発明に係る他の電線保護ケースにおいて、前記下壁部の先端側の縁部のうち前記第一底壁部を含む部分が連続する直線状に連なり、前記第一の溝部は、前記第一側壁部側から前記第二側壁部側の逆側に下って傾斜して前記第一側壁部側で開口するように形成されている。このため、第二部材として、第一底壁部に対応する部分が直線状の縁部を有するものを用いることができ、その構成を簡易化できる。
【００２５】
本発明に係る他の電線保護ケースにおいて、前記下壁部は、その突出方向全体において、前記第一の溝部側方で下壁部から突出する溝部側壁部を有していると、当該溝部側壁部によって下壁部を補強することができる。
【図面の簡単な説明】
【００２６】
【図１】本発明の第１実施形態に係る電線保護ケース１の斜視図である。
【図２】電線保護ケース１が分解された状態を示す斜視図である。
【図３】電線保護ケース１を構成する第一部材の側面図である。
【図４】電線保護ケース１を構成する第二部材の側面図である。
【図５】電線保護ケース１の側面図である。
【図６】電線保護ケース１における水抜き部の正断面図である。
【図７】第２実施形態に係る電線保護ケース５００の分解斜視図である。
【図８】水抜き構造５３０を示す部分斜視図である。
【図９】車両取付姿勢における水抜き構造５３０を示す説明図である。
【図１０】車両取付姿勢における水抜き構造５３０を示す説明図である。
【図１１】図１０におけるＸＩ−ＸＩ線概略断面図である。
【図１２】第一の溝部と金型との配置関係を示す説明図である。
【図１３】第一の溝部の変形例を示す部分斜視図である。
【図１４】第一の溝部の他の変形例を示す部分斜視図である。
【図１５】従来の電線保護ケース１００の斜視図である。
【図１６】従来の電線保護ケース１００を構成する第一部材の斜視図である。
【発明を実施するための形態】
【００２７】
以下、添付の図面を参照しながら、本発明の実施形態について説明する。以下の各実施形態は、本発明を具体化した一例であって、本発明の技術的範囲を限定するものではない。
【００２８】
｛第１実施形態｝
まず、図１を参照しつつ、本発明の第１実施形態に係る電線保護ケース１の概略構造について説明する。図１は、電線保護ケース１の斜視図である。図１に示されるように、電線保護ケース１は、相互に対向して組み合わされる第一部材１０及び第二部材２０を備える。そして、それら第一部材１０及び第二部材２０が、電線９の左右の各方向から組み合わされることによって電線９の周囲を覆う構造を備える。
【００２９】
第一部材１０及び第二部材２０は、それぞれ個別に成型された部材であり、例えば、樹脂製の一体成型部材である。
【００３０】
電線保護ケース１は、第一部材１０及び第二部材２０が電線９の両側方から組み合わされることにより、電線９が通る開口部である第一通路口４１及び第二通路口４２を形成する。そして、電線保護ケース１は、第一通路口４１から第二通路口４２に至る電線９の周囲を覆う。電線９は、１本の電線又は複数の電線からなる電線束であることが考えられる。
【００３１】
図１〜図６に示される例では、電線保護ケース１は、電線９を、下方を凸側として曲がる状態に保持しつつその周囲を覆う構造を有している。即ち、電線保護ケース１は、第一通路口４１から斜め下方へ向かった後に斜め上方へ向かって第二通路口４２に至る電線９の経路を形成する。
【００３２】
なお、電線保護ケース１は、例えば、第一通路口４１から鉛直下方へ向かった後に斜め上方へ向かって第二通路口４２に至る電線９の経路を形成すること、及び第一通路口４１から鉛直下方へ向かった後に鉛直上方へ向かって折り返して第二通路口４２に至る電線９の経路を形成することなども考えられる。ここで、第一通路口４１及び第二通路口４２は、便宜上、２つの開口を識別するために用いる用語であるため、両用語は、入れ替えて用いられてもかまわない。
【００３３】
また、電線保護ケース１の下部には、水抜き構造３０が設けられている。この水抜き構造３０の詳細は後述する。
【００３４】
次に、図２〜図４を参照しつつ、第一部材１０及び第二部材２０の構造の詳細について説明する。図２は、電線保護ケース１が分解された状態を示す斜視図であり、図２（ａ）は第二部材２０の内面側の斜視図、図２（ｂ）は第一部材１０の内面側の斜視図である。また、図３は、第一部材１０の内面側の側面図であり、図４は、第二部材２０の内面側の側面図である。
【００３５】
図２（ｂ）及び図３に示されるように、第一部材１０は、第一側壁部１１、上壁部１５、下壁部１６及び第一底壁部１３を有している。第一側壁部１１は、電線９の一方の側方における壁を形成する部分である。上壁部１５は、第一側壁部１１の上側の縁に突設され、電線９の上方における壁を形成する部分である。下壁部１６は、第一側壁部１１の下側の縁に突設され、電線９の下方における壁を形成する部分である。
【００３６】
即ち、第一部材１０は、電線９の周囲を覆う壁のうちの三方の壁（第一側壁部１１、上壁部１５及び下壁部１６）を形成し、電線９が内側に収容される溝部状に形成された部材である。また、上壁部１５及び下壁部１６は、下方を凸側として曲がって形成されている。なお、第一底壁部１３の詳細については後述する。
【００３７】
一方、第二部材２０は、電線９が収容された第一部材１０の溝部状の部分を覆う蓋として機能する部材である。第二部材２０は、図２（ａ）及び図４に示されるように、第二側壁部２１、上部リブ２５、下部リブ２６及び第二底壁部２３を有している。第二側壁部２１は、電線９の一方の側方、即ち、電線９を基準に第一側壁部１１が存在する側と反対側の側方における壁を形成する部分である。上部リブ２５及び下部リブ２６は、それぞれ第二側壁部２１の上側の縁及び下側の縁に突設されている。
【００３８】
第一部材１０における上壁部１５及び下壁部１６の先端部分は、第二部材２０における上部リブ２５及び下部リブ２６の内側に沿って嵌り込む。これにより、第二部材２０は、第一部材１０と組み合わされたときに、第一部材１０に対して正しい位置に位置決めされる。さらに、上部リブ２５及び下部リブ２６は、第二部材２０を補強する部分でもある。
【００３９】
また、第二部材２０における上部リブ２５及び下部リブ２６の各々には、第二部材２０を第一部材１０に対して固定するための爪部２７１〜２７６が突設されている。一方、図２（ｂ）及び図３に示されるように、第一部材１０における上壁部１５及び下壁部１６の先端の外側の部分には、爪部２７１〜２７６各々が嵌め込まれる留め部１７１〜１７６が設けられている。爪部２７１〜２７６が留め部１７１〜１７６に嵌め込まれることにより、第二部材２０は第一部材１０と組み合わされた状態で第一部材１０に固定される。
【００４０】
次に、水抜き構造３０について説明する。水抜き構造３０は、第一部材１０の下部に形成された第一底壁部１３と、第二部材２０の下部に形成された第二底壁部２３とによって構成される。
【００４１】
第一底壁部１３は、第一部材１０の下壁部１６における最も下方の部分に形成されている。この第一底壁部１３は、第一側壁部１１の下部の縁に、第二部材２０の第二側壁部２１側が先端部１３２となるように突設さている。
【００４２】
また、第一底壁部１３の上面には、第一側壁部１１と繋がる根元部１３１から第二側壁部２１側の先端部１３２に至る範囲において、先端部１３２側（第二側壁部２１側）へ下って傾斜する第一の溝部１３３が形成されている。
【００４３】
一方、第二底壁部２３は、第二部材２０における第二側壁部２１の下部において、第一部材１０における第一底壁部１３の下方へ向けて突設されている。また、第二底壁部２３の上面には、第二側壁部２１と繋がる根元部２３１から第一底壁部１３の下方側の先端部２３２に至る範囲において、先端部２３２側へ下って傾斜する第二の溝部２３３が形成されている。
【００４４】
図５は、電線保護ケース１の第二部材２０側の側面図である。また、図６は、図５に示されるＡ−Ａ線の位置における、水抜き構造３０の部分の断面図である。
【００４５】
図６に示されるように、第一底壁部１３は、第一側壁部１１の下部に、第一側壁部１１に繋がる根元部１３１から第二側壁部２１側（図６に向かって右側）の先端部１３２へ伸びて形成されている。この第一底壁部１３は、下壁部１６における最も下方の部分を形成している。
【００４６】
また、第一底壁部１３の上面に形成されている第一の溝部１３３は、根元部１３１から先端部１３２側（第二側壁部２１側）へ下って傾斜するように形成されている。同様に、第二底壁部２３の上面に形成されている第二の溝部２３３は、根元部２３１から先端部２３２側（第一底壁部１３の下方側）へ下って傾斜するように形成されている。
【００４７】
また、第二底壁部２３は、第二側壁部２１の下部に、第一底壁部１３との間に間隔を空けて、第一底壁部１３の下方に至る長さで突設されている。即ち、電線保護ケース１において、その下方を視点とした場合、第一底壁部１３における先端部１３２を含む一定の範囲の部分と、第二底壁部２３における先端部２３２を含む一定の範囲の部分とは重なっている。また、両先端部１３２，２３２は、上下方向に間隔を隔てて段違いに位置している。
【００４８】
以上に示された電線保護ケース１において、内部に浸入した水は、下壁部１６の最も下方に位置する第一底壁部１３に流れ落ち、次に、先端部１３２側へ下って傾斜する第一の溝部１３３を通って第二底壁部２３に流れ落ち、最後に、先端部２３２下って傾斜する第二の溝部２３３を通って外部（電線保護ケース１の下方）に流れ落ちる。従って、電線保護ケース１の内部に浸入した水は、電線保護ケース１の下方へ速やかに排出される。
【００４９】
また、電線保護ケース１において、その下方を視点とした場合、第一底壁部１３と第二底壁部２３とは重なっている。従って、電線保護ケース１に収容された電線９は、電線保護ケース１の下方を視点とした場合でも外部から露出せず、外部（下方）からの異物の侵入を防ぐことができる。
【００５０】
また、電線保護ケース１において、第一底壁部１３は、第一側壁部１１から突設される下壁部１６の一部として形成され、第一の溝部１３３は、第一底壁部１３が第一側壁部１１から突出する方向に沿って形成される。従って、第一部材１０は、第一底壁部１３及び第一の溝部１３３を形成することを含め、第一側壁部１１の面にほぼ垂直な方向に引き抜かれる金型を用いた成型によって製造することができる。
【００５１】
一方、第二底壁部２３は、第二側壁部２１から下部リブ２６と同じ方向へ突設され、第二の溝部２３３は、第二底壁部２３が第二側壁部２１から突出する方向に沿って形成される。従って、第二部材２０も、第一部材１０と同様に、第二底壁部２３及び第二の溝部２３３を形成することを含め、第二側壁部２１の面にほぼ垂直な方向に引き抜かれる金型を用いた成型によって製造することができる。
【００５２】
以上に示した実施形態では、第一部材１０に上壁部１５が形成されている。しかしながら、本発明に係る電線保護ケースにおいて、第二部材２０に上壁部１５が形成され、第一部材１０に上部リブ２５が形成された構成も考えられる。
【００５３】
｛第２実施形態｝
第２実施形態に係る電線保護ケース５００について説明する。図７は電線保護ケース５００の分解斜視図である。
【００５４】
電線保護ケース５００は、相互に組合わされる第一部材５１０及び第二部材５２０を備える。そして、それら第一部材５１０及び第二部材５２０が、電線５０９の両側方から組合わされることによって、電線保護ケース５００が電線５０９の周囲を覆う構成となる。
【００５５】
第一部材５１０及び第二部材５２０は、それぞれ個別に成型された部材であり、例えば、樹脂製の一体成形部材である。第一部材５１０及び第二部材５２０が組合わされた形態で、電線保護ケース５００は、電線５０９が通る通路口５４０を複数（ここでは３つ）備える。電線５０９は、少なくとも１本の電線を有している。ここでは、電線５０９として、複数の電線が分岐するように束ねられたものを想定している。
【００５６】
図７に示される例では、電線保護ケース５００は、２つの通路口５４０を端部とするＣ字状の案内路及びその中間部から残りの１つの通路口に向う案内路を有しており、電線５０９を当該案内路に沿って保持しつつその周囲を覆う構成とされている。即ち、電線保護ケース５００は、電線５０９を３つに分岐するように保持及び保護する案内路を形成している。
【００５７】
なお、電線保護ケースにおける通路口及び案内経路は、上記例に限られることはなく、適用対象における電線の経路に応じて、適宜案内路及び通路口を形成したものが用いられる。
【００５８】
また、電線保護ケース５００の下部には水抜き構造５３０が設けられている。この水抜き構造５３０については後述する。
【００５９】
第一部材５１０及び第二部材５２０のそれぞれの構成について説明する。
【００６０】
第一部材５１０は、第一側壁部５１１と、下壁部５１４を含む立壁部５１３とを有している。第一側壁部５１１は、電線５０９の一方の側方における壁を形成する部分である。立壁部５１３は、第一側壁部５１１に突設されて、電線５０９を上下方向又は側方から囲う壁を形成する部分である。ここでは、立壁部５１３は、電線５０９の下方に位置する部分と、Ｃ字状の案内路の背部に位置する部分と、Ｃ字状の案内路の中央部に位置する部分とを有している。そして、この立壁部５１３によって区切られる空間によって、電線を案内する溝部状の空間が形成されることとなる。また、立壁部５１３のうち電線５０９の下方における壁を形成する部分は下壁部５１４である。この下壁部５１４は、下方を凸側として曲って形成されている。下壁部５１４については、水抜き構造５３０と共に後で詳述する。
【００６１】
第二部材５２０は、電線５０９が収容された第一部材５１０の溝部状の空間を覆う蓋として用いられる部分である。第二部材５２０は、第二側壁部５２１と、上壁部５２４とを有している。第二側壁部５２１は、電線５０９の他の側方、即ち、電線５０９を基準に第一部材５１０が存在する側とは反対側の側方における壁を形成する部分である。上壁部５２４は、第二側壁部５２１に突設されて、電線５０９の上側を囲う壁を形成する部分である。そして、第一部材５１０と第二部材５２０とを組合わせると、上壁部５２４が第一部材５１０の立壁部５１３の上方部分に組合わされる。これにより、電線５０９を保護案内する筒状の空間が形成されることとなる。
【００６２】
なお、本実施形態では、第二部材５２０は、上壁部５２４が形成されているが必ずしもこのような構成である必要はない。後述する第一側壁部５１１に関する構成を除けば、電線を案内保護する案内路を形成するための壁の一部又は全部が第一部材及び第二部材のいずれに設けられていてもよい。つまり、第一部材と第二部材とが組合わされることにより、電線保護用の案内路が形成される態様にて、壁が形成されていてもよい。
【００６３】
なお、上記第二部材５２０の第二側壁部５２１の周縁部、上壁部５２４の先端部等には爪部５２６が形成され、第一部材５１０の第一側壁部５１１の周縁部等には当該爪部５２６がロック可能なロック凹部５１６が形成されている。そして、爪部５２６がロック凹部５１６に嵌め込まれて抜止め係止することによって、第一部材５１０と第二部材５２０との合体状態が維持される。
【００６４】
また、第一部材５１０には、固定孔５１７ｈを有する固定片５１７が突設されている。この固定片５１７が車体の所定部位にボルト固定等されることによって、本電線保護ケース５００が一定位置に一定姿勢で固定されることとなる。
【００６５】
水抜き構造５３０について説明する。図８は水抜き構造５３０を示す部分拡大斜視図であり、図９及び図１０は車両取付姿勢における水抜き構造５３０を示す説明図であり、図１１は図１０におけるＸＩ−ＸＩ線概略断面図である。なお、図９は第二部材５２０を外した状態における第一部材５１０を示している。
【００６６】
水抜き構造５３０は、第一部材５１０の下壁部５１４に形成された第一底壁部５３２によって構成されている。
【００６７】
第一底壁部５３２は、第一部材５１０の下壁部５１４における最も下方の部分に形成されている。この第一底壁部５３２は、第一側壁部５１１の下部の縁に沿って延在する態様で板状に突設されている。
【００６８】
また、第一底壁部５３２の上面（内面）には、第一側壁部５１１と繋がる根本部から第二側壁部２１側の先端部５３２ａに至る範囲において、その根本部側に下って傾斜し、第一側壁部５１１側で開口する（開口部５３４ｈ参照）第一の溝部５３４が形成されている。
【００６９】
より具体的には、第一底壁部５３２の根本部から先端部５３２ａに至る細帯状部分が外方に突出するように凹むことで細帯状の第一の溝部５３４が形成されている。また、電線保護ケース５００の取付状態で第一底壁部５３２は略水平姿勢で配設され、第一の溝部５３４の深さ寸法は、第一底壁部５３２の根本部側（第一側壁部５１１側）に向けて徐々に深くなるようになっている。そして、その第一の溝部５３４の下方を向く側で外向けに開口している。ここで、第一側壁部５１１側で外方に開口している。
【００７０】
また、第一底壁部５３２は、その長手方向全体において、第一の溝部５３４側方で、下壁部５１４から突出する溝部側壁部５３４ａを有している。つまり、溝部側壁部５３４ａは、第一底壁部５３２の根本部から先端部５３２ａに至る範囲全体に突出するように形成されている。
【００７１】
また、第二部材５２０の第二側壁部５２１は、第一側壁部５１１の下壁部５１４の先端側に突合わされている。つまり、電線保護ケース５００において電線５０９を覆う壁部の最下部は、第一部材５１０の下壁部５１４のみによって構成されている。
【００７２】
また、第一の溝部５３４のうち前記先端部５３２ａ側の開口を閉塞するように突出する突部５２１ａを有している。従って、第一の溝部５３４は、第二側壁部５２１側では前記突部５２１ａによって閉塞されており、第一側壁部５１１側では前記開口部５３４ｈによって外方に開口している。
【００７３】
以上のように構成された電線保護ケース５００において、内部に浸入した水は、下壁部５１４の最も下方に位置する第一底壁部５３２に流れ落ち、次に、第一の溝部５３４内に流れ落ちる。第一の溝部５３４内は根本側（第一側壁部５１１側）に傾斜しているので、当該第一側壁部５１１に入り込んだ水は、その傾斜に従って、根本側（第一側壁部５１１側）に流れ、開口部５３４ｈを通って外部（電線保護ケース５００の下方）に流れ落ちる。従って、電線保護ケース５００の内部に浸入した水は、電線保護ケース５００の下方へ速やかに排出される。
【００７４】
また、電線保護ケース５００において、第一底壁部５３２は、第一側壁部５１１から突設される下壁部５１４の一部として形成され、第一の溝部５３４は、第一底壁部５３２が第一側壁部１１から突出する方向に沿って形成される。このため、図１２に示すように、立壁部５１３の立設方向に沿って引抜かれる金型６００、６１０等によって、第一の溝部５３４の形状を容易に成型することができる。従って、第一部材５１０は、第一底壁部５３２及び第一の溝部５３４、開口部５３４ｈを形成することを含め、第一側壁部５１１の面にほぼ垂直な方向に引き抜かれる金型を用いた成型によって容易に製造することができる。従って、第一部材５１０を、水抜き構造５３０を作るために特別な金型のスライド機構を用いることなく容易に製造することができる。
【００７５】
勿論、第二部材５２０については、水抜き用の構成として突部５２１ａを新たに作り込んだだけであるため、従来と同様に、第二側壁部５２１の面にほぼ垂直な方向に引き抜かれる金型を用いた成型によって製造することができる。
【００７６】
また、第二部材５２０の第二側壁部５２１は、第一部材５１０の下壁部５１４側の縁部に突合わされる構成であるため、第二側壁部５２１側に下側の壁を形成しなくともよい。このため、第二部材５２０の構成を簡易化できる。
【００７７】
また、下壁部５１４は、その突出方向全体において、第一の溝部５３４側方で、下壁部５１４から突出する溝部側壁部５３４ａを有しているため、下壁部５１４が溝部側壁部５３４ａによって補強され、その厚み方向に曲り難くなる。
【００７８】
なお、上記実施形態では、第一の溝部５３４が、第一底壁部５３２の先端部５３２ａでも凹んでいる例で説明したが、必ずしもその必要はない。
【００７９】
図１３に示すように、下壁部５１４に対応する下壁部６１４の先端側の縁部のうち第一底壁部５３２に対応する第一底壁部６３２を含む部分が連続する直線状に連なっていてもよい。この場合、第一の溝部５３４に対応する第一の溝部６３４は、下壁部６１４の先端側の縁部で下壁部５１４の上面（内面）と面一状態であり、下壁部６１４の根本に向けて下方に傾斜して第一側壁部５１１に対応する第一側壁部５１１で開口部５３４ｈを介して開口している。この場合、下壁部６１４の先端側の縁部が直線状に連続する形状を呈するため、第二部材５２０の第二側壁部５２１に対応する第二側壁部６２１として、上記のように突部５２１ａを形成しない形状のもの、即ち、第一底壁部６３２に組合わされる周縁部で直線状の縁部を有するものを用いることができ、その構成を簡易化できる。
【００８０】
また、図１４に示すように、第一底壁部５３２に対応する第１底壁部７３２に対して、上記第一の溝部５３４に対応する第一の溝部７３４として、傾斜が逆のもの、即ち、第一底壁部５３２の根本部側から先端部側に向けて下るように傾斜する形状のものを形成してもよい。この場合には、第１底壁部７３２の根本部側に開口を形成する必要はない。また、第二側壁部５２１に対応する第二側壁部７２１として、上記のように突部５２１ａを形成しない形状のもの、即ち、第一底壁部７３２に組合わされる周縁部で直線状の縁部を有するものを用いることができる。この場合、第一の溝部７３４は、第二側壁部７２１側で、第二側壁部７２１の外周側に開口しており、この開口を通って内部の水が外部に排出される。
【００８１】
なお、本変形例において、第二側壁部７２１に対応する第二側壁部が第一の溝部７３４の第二側壁部７２１側の開口を覆う程度の大きさ及び形状に形成されると共に、第一の溝部７３４の第二側壁部７２１側の開口に対応する部分に開口が形成されていてもよい。
【００８２】
｛変形例｝
なお、上記各実施形態において、さらに他の部材が組合わされることによって電線の周囲を覆う構成であってもよい。
【００８３】
上記各実施形態及び各変形例で説明した各構成は、相互に矛盾しない限り適宜組合わせることができる。
【００８４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８５】
１、５００  電線保護ケース
９、５０９  電線
１０、５１０  第一部材
１１、５１１  第一側壁部
１３、５３２  第一底壁部
１５  上壁部
１６  下壁部
２０、５２０  第二部材
２１、５２１  第二側壁部
２３  第二底壁部
２５  上部リブ
２６  下部リブ
３０、５３０  水抜き構造
１３３、５３４、６３４、７３４  第一の溝部
２３３  第二の溝部
【図１】
2011234609.tif 000003
【図２】
2011234609.tif 000004
【図３】
2011234609.tif 000005
【図４】
2011234609.tif 000006
【図５】
2011234609.tif 000007
【図６】
2011234609.tif 000008
【図７】
2011234609.tif 000009
【図８】
2011234609.tif 000010
【図９】
2011234609.tif 000011
【図１０】
2011234609.tif 000012
【図１１】
2011234609.tif 000013
【図１２】
2011234609.tif 000014
【図１３】
2011234609.tif 000015
【図１４】
2011234609.tif 000016
【図１５】
2011234609.tif 000017
【図１６】
2011234609.tif 000018